(57)【要約】【課題】テレビに接続されたセットトップボックス等のデコード装置において、テレビの電源状態に基づいて自律的に省電力モードに移行することにより、消費電力の低減を図ることが可能なデコード装置を得る。【解決手段】セットトップボックス１は、映像音声信号Ｓ４の信号出力部２１を有するテレビ２０に接続されるデコード装置であって、装置外部から映像音声信号Ｓ１が入力される第１入力部２と、第１入力部２に入力された映像音声信号Ｓ１をデコードするデコード部３と、信号出力部２１に電気的に接続される第２入力部５と、第２入力部５に映像音声信号Ｓ４が入力されているか否かによって、テレビ２０の電源状態を判定する第１判定部３１と、第１判定部３１の判定結果に基づいてデコード部３の電源状態を制御する電源制御部３４とを備える。【選択図】図２
2010239589.tif 000002
【特許請求の範囲】
【請求項１】
映像信号及び／又は音声信号の信号出力部を有するテレビに接続されるデコード装置であって、
装置外部から第１の映像信号及び／又は音声信号が入力される第１の入力部と、
前記第１の入力部に入力された第１の映像信号及び／又は音声信号をデコードするデコード部と、
前記信号出力部に電気的に接続される第２の入力部と、
前記第２の入力部に第２の映像信号及び／又は音声信号が入力されているか否かによって、前記テレビの電源状態を判定する第１の判定部と、
前記第１の判定部の判定結果に基づいて前記デコード部の電源状態を制御する制御部とを備える、デコード装置。
【請求項２】
前記第１の入力部に入力された第１の映像信号及び／又は音声信号を前記デコード部によってデコードし、そのデコードされた第１の映像信号及び／又は音声信号を記録する記録部と、
前記記録部の動作状態を判定する第２の判定部と
をさらに備え、
前記制御部は、前記第１の判定部の判定結果と前記第２の判定部の判定結果とに基づいて前記デコード部の電源状態を制御する、請求項１に記載のデコード装置。
【請求項３】
装置外部に映像信号及び／又は音声信号を出力する出力部と、
前記第１の入力部及び前記第２の入力部を選択的に切り替えて前記出力部に接続する切替部と
をさらに備える、請求項１又は２に記載のデコード装置。
【発明の詳細な説明】
【技術分野】
【０００１】
本発明は、セットトップボックス等のデコード装置に関する。
【背景技術】
【０００２】
下記特許文献１には、テレビにセットトップボックスが接続された構成のテレビ電話システムが開示されている。テレビの電源がオフされている時に相手先からテレビ電話の着信要求を受けた場合には、セットトップボックスの制御によってテレビの電源を自動的にオンすることにより、相手先から受信した映像をテレビの画面に表示させる。
【先行技術文献】
【特許文献】
【０００３】
【特許文献１】特開２００７−２４３８１１号公報
【発明の概要】
【発明が解決しようとする課題】
【０００４】
セットトップボックスの消費電力を低減する観点からは、テレビの電源がオフされている場合又はテレビが省電力モード（スタンバイモード）である場合には、セットトップボックスも省電力モードに移行することが望ましい。
【０００５】
本発明はかかる事情に鑑みて成されたものであり、テレビに接続されたセットトップボックス等のデコード装置において、テレビの電源状態に基づいて自律的に省電力モードに移行することにより、消費電力の低減を図ることが可能なデコード装置を得ることを目的とするものである。
【課題を解決するための手段】
【０００６】
本発明の第１の態様に係るデコード装置は、映像信号及び／又は音声信号の信号出力部を有するテレビに接続されるデコード装置であって、装置外部から第１の映像信号及び／又は音声信号が入力される第１の入力部と、前記第１の入力部に入力された第１の映像信号及び／又は音声信号をデコードするデコード部と、前記信号出力部に電気的に接続される第２の入力部と、前記第２の入力部に第２の映像信号及び／又は音声信号が入力されているか否かによって、前記テレビの電源状態を判定する第１の判定部と、前記第１の判定部の判定結果に基づいて前記デコード部の電源状態を制御する制御部とを備えることを特徴とするものである。
【０００７】
第１の態様に係るデコード装置によれば、第１の判定部は、第２の入力部に第２の映像信号及び／又は音声信号が入力されているか否かによって、テレビの電源状態を判定する。そして、制御部は、第１の判定部の判定結果に基づいてデコード部の電源状態を制御する。従って、テレビの電源がオフされている場合又はテレビが省電力モードである場合（つまり第２の入力部に第２の映像信号及び／又は音声信号が入力されていない場合）には、制御部によってデコード部の電源をオフする又はデコード部を省電力モードに移行させることによって、消費電力の低減を図ることが可能となる。
【０００８】
本発明の第２の態様に係るデコード装置は、第１の態様に係るデコード装置において特に、前記第１の入力部に入力された第１の映像信号及び／又は音声信号を前記デコード部によってデコードし、そのデコードされた第１の映像信号及び／又は音声信号を記録する記録部と、前記記録部の動作状態を判定する第２の判定部とをさらに備え、前記制御部は、前記第１の判定部の判定結果と前記第２の判定部の判定結果とに基づいて前記デコード
部の電源状態を制御することを特徴とするものである。
【０００９】
第２の態様に係るデコード装置によれば、第２の判定部は、記録部の動作状態を判定する。そして、制御部は、第１の判定部の判定結果と第２の判定部の判定結果とに基づいてデコード部の電源状態を制御する。従って、テレビの電源がオフされている場合又はテレビが省電力モードである場合であっても、予約録画の機能等によって記録部が動作しているためにデコード部を動作させる必要がある場合には、デコード部の電源状態を通常モードのまま維持させることができる。
【００１０】
本発明の第３の態様に係るデコード装置は、第１又は第２の態様に係るデコード装置において特に、装置外部に映像信号及び／又は音声信号を出力する出力部と、前記第１の入力部及び前記第２の入力部を選択的に切り替えて前記出力部に接続する切替部とをさらに備えることを特徴とするものである。
【００１１】
第３の態様に係るデコード装置によれば、切替部によって第１の入力部を出力部に接続することにより、装置外部から入力された第１の映像信号及び／又は音声信号を、出力部から装置外部に出力することができる。また、切替部によって第２の入力部を出力部に接続することにより、テレビから入力された第２の映像信号及び／又は音声信号を、出力部から装置外部に出力することができる。その結果、ユーザの利便性を向上することができる。
【発明の効果】
【００１２】
本発明によれば、デコード装置における消費電力の低減を図ることが可能となる。
【図面の簡単な説明】
【００１３】
【図１】本発明の実施の形態に係るセットトップボックスの機能構成を示すブロック図である。
【図２】プロセッサの機能構成を示すブロック図である。
【発明を実施するための形態】
【００１４】
以下、本発明の実施の形態について、図面を用いて詳細に説明する。なお、異なる図面において同一の符号を付した要素は、同一又は相応する要素を示すものとする。
【００１５】
図１は、本発明の実施の形態に係るセットトップボックス１の機能構成を示すブロック図である。図１の接続関係で示すように、セットトップボックス１は、第１入力部２、デコード部３、記録部４、第２入力部５、プロセッサ６、メモリ７、切替部８、出力部９、ＨＤＭＩ（High-Definition Multimedia Interface）インタフェース１０、及び信号出力部１１を備えて構成されている。
【００１６】
第１入力部２は、例えばセットトップボックス１の外部のアンテナ端子に接続されている。第１入力部２は、アンテナ端子から映像音声信号Ｓ１（第１の映像信号及び／又は音声信号）を入力し、復調やＡ／Ｄ変換等の所定の処理を施して、映像音声信号Ｓ２として出力する。なお、第１入力部２をＩＰ網やケーブルテレビ網等の通信ネットワークに接続することにより、通信ネットワークから第１入力部２に映像音声信号Ｓ１を入力してもよい。なお、本明細書において「映像音声信号」とは、映像信号及び音声信号の少なくとも一方を含む信号（つまり映像信号及び／又は音声信号）を意味する。
【００１７】
デコード部３は、第１入力部２から映像音声信号Ｓ２を入力し、所定のデコード処理を実行した後に、映像音声信号Ｓ３として出力する。
【００１８】
記録部４は、ハードディスク又は半導体メモリ等の任意の記録媒体である。記録部４は、ユーザからの放送番組の録画要求に応じてデコード部３から映像音声信号Ｓ３を入力し、その映像音声信号Ｓ３を記録する。
【００１９】
第２入力部５は、光デジタル信号の入力インタフェースであり、光ケーブルを介してテレビ２０の信号出力部２１に電気的に接続されている。信号出力部２１は、例えば地上波デジタル放送に対応しているテレビに備えられる光デジタル信号の出力インタフェースである。
【００２０】
テレビ２０の電源がオンされており、かつ省電力モード（スタンバイモード）ではない通常モードで動作している場合には、テレビ２０の信号出力部２１からセットトップボックス１の第２入力部５に、光デジタルの映像音声信号Ｓ４（第２の映像信号及び／又は音声信号）が入力される。一方、テレビ２０の電源がオフされている場合や、電源はオンされているがテレビ２０が省電力モードに移行している場合には、信号出力部２１から映像音声信号Ｓ４が出力されないため、第２入力部５には映像音声信号Ｓ４が入力されない。
【００２１】
第２入力部５は、入力された映像音声信号Ｓ４に対してＯ／Ｅ（Optical / Electrical）変換等の所定の処理を施して、映像音声信号Ｓ５として出力する。
【００２２】
切替部８には、第１入力部２からデコード部３を介して映像音声信号Ｓ３が入力されるとともに、第２入力部５から映像音声信号Ｓ５が入力される。また、切替部８には、プロセッサ６から切替信号Ｓ６が入力される。切替部８は、切替信号Ｓ６に基づいて、第１入力部２及び第２入力部５を選択的に切り替えて出力部９に接続する。
【００２３】
切替部８によって第１入力部２が選択された場合には、アンテナ端子からセットトップボックス１に入力された映像音声信号Ｓ１に対応する映像音声信号Ｓ３が、切替部８から出力部９に入力される。一方、切替部８によって第２入力部５が選択された場合には、テレビ２０からセットトップボックス１に入力された映像音声信号Ｓ４に対応する映像音声信号Ｓ５が、切替部８から出力部９に入力される。
【００２４】
出力部９は、光デジタル信号の出力インタフェースであり、切替部８から入力された映像音声信号Ｓ３又は映像音声信号Ｓ５に対してＥ／Ｏ（Electrical / Optical）変換等の所定の処理を施して、光デジタルの映像音声信号Ｓ３Ａ又は映像音声信号Ｓ５Ａとして出力する。
【００２５】
なお、デコード部３から出力された映像音声信号Ｓ３は、ＨＤＭＩインタフェース１０又は信号出力部１１を介して、セットトップボックス１の外部に出力することが可能である。例えば、セットトップボックス１が記録部４を内蔵していない場合には、信号出力部１１にハードディスクレコーダ等を接続することにより、映像音声信号Ｓ３をそのハードディスクレコーダに記録することができる。
【００２６】
図２は、プロセッサ６の機能構成を示すブロック図である。図２の接続関係で示すように、プロセッサ６は、ノイズフィルタ３０、第１判定部３１、第２判定部３２、切替制御部３３、及び電源制御部３４を有している。
【００２７】
ノイズフィルタ３０は、第２入力部５から映像音声信号Ｓ５を入力し、所定の波形成形処理を施してノイズを除去した後、映像音声信号Ｓ１０として出力する。
【００２８】
第１判定部３１は、ノイズフィルタ３０から映像音声信号Ｓ１０を入力し、その映像音声信号Ｓ１０に基づいて、テレビ２０の電源状態を判定する。テレビ２０が通常モードで
動作していることにより、第２処理部５が信号出力部２１から映像音声信号Ｓ４を入力している場合には、映像音声信号Ｓ４のデータ内容に応じて映像音声信号Ｓ１０はハイレベルとローレベルとを繰り返す。一方、テレビ２０の電源がオフされているか、テレビ２０が省電力モードに移行していることにより、第２処理部５が信号出力部２１から映像音声信号Ｓ４を入力していない場合には、映像音声信号Ｓ１０はローレベルの一定値となる。従って、第１判定部３１は、映像音声信号Ｓ１０の信号レベルの遷移を観察することによって、テレビ２０の電源状態を判定することができる。第１判定部３１の判定結果は、信号Ｓ１１として切替制御部３３及び電源制御部３４に入力される。
【００２９】
第２判定部３２には、放送番組の予約録画情報に関する信号Ｓ２０が入力される。第２判定部３２は、予約録画を現在実行する必要があるか否かを信号Ｓ２０に基づいて判定し、その判定結果に関する信号Ｓ１２を出力する。信号Ｓ１２は切替制御部３３及び電源制御部３４に入力される。
【００３０】
電源制御部３４は、信号Ｓ１１，Ｓ１２に基づいて、デコード部３の電源状態を制御する。具体的には、テレビ２０が通常モードで動作している場合には、デコード部３を通常モードで動作させるための信号Ｓ７を出力する。また、予約録画を現在実行する必要がある場合にも、デコード部３を通常モードで動作させるための信号Ｓ７を出力する。
【００３１】
一方、テレビ２０の電源がオフされているか、テレビ２０が省電力モードに移行している場合であって、かつ、予約録画を現在実行する必要がない場合には、デコード部３の電源をオフするか、デコード部３を省電力モードに移行させるための信号Ｓ７を出力する。なお、この場合には、デコード部３の電源をオフ等するとともに、ＨＤＭＩインタフェース１０、信号出力部１１、及び第１入力部２についても、電源のオフ又は省電力モードへの移行を行ってもよい。
【００３２】
切替制御部３３は、信号Ｓ１１，Ｓ１２に基づいて、切替部８の動作を制御する。例えば、テレビ２０が通常モードで動作している場合には、出力部９を第２入力部５に接続させるための切替信号Ｓ６を出力する。一方、テレビ２０の電源がオフされているか、テレビ２０が省電力モードに移行している場合には、出力部９を第１入力部２に接続させるための切替信号Ｓ６を出力する。なお、ユーザは、セットトップボックス１のリモートコントローラ等を用いて、切替部８の動作を所望に選択することができる。リモートコントローラ等から入力された選択信号Ｓ２１は切替制御部３３に入力され、切替制御部３３は、その選択信号Ｓ２１に基づいて、出力部９を第１入力部２又は第２入力部５に接続させるための切替信号Ｓ６を出力する。
【００３３】
このように本実施の形態に係るセットトップボックス１によれば、第１判定部３１は、第２入力部５に映像音声信号Ｓ４が入力されているか否かによって、テレビ２０の電源状態を判定する。そして、電源制御部３４は、第１判定部３１の判定結果（信号Ｓ１１）に基づいてデコード部３の電源状態を制御する。従って、テレビ２０の電源がオフされている場合又はテレビ２０が省電力モードである場合（つまり第２入力部５に映像音声信号Ｓ４が入力されていない場合）には、電源制御部３４によってデコード部３の電源をオフする又はデコード部３を省電力モードに移行させることによって、消費電力の低減を図ることが可能となる。
【００３４】
また、本実施の形態に係るセットトップボックス１によれば、第２判定部３２は、予約録画情報に関する信号Ｓ２０に基づいて、記録部４の動作状態（つまり予約録画を現在実行する必要があるか否か）を判定する。そして、電源制御部３４は、第１判定部３１の判定結果（信号Ｓ１１）と第２判定部３２の判定結果（信号Ｓ１２）とに基づいてデコード部３の電源状態を制御する。従って、テレビ２０の電源がオフされている場合又はテレビ
２０が省電力モードである場合であっても、予約録画の機能等よって記録部４が動作しているためにデコード部３を動作させる必要がある場合には、デコード部３の電源状態を通常モードのまま維持させることができる。なお、予約録画が完了すると、電源制御部３４によってデコード部３の電源をオフするか、デコード部３を省電力モードに移行させてもよい。
【００３５】
また、本実施の形態に係るセットトップボックス１によれば、切替部８によって第１入力部２を出力部９に接続することにより、装置外部から入力された映像音声信号Ｓ１に対応する映像音声信号Ｓ３を、出力部９から装置外部に出力することができる。また、切替部８によって第２入力部５を出力部９に接続することにより、テレビ２０から入力された映像音声信号Ｓ４に対応する映像音声信号Ｓ５を、出力部９から装置外部に出力することができる。その結果、ユーザの利便性を向上することができる。
【００３６】
なお、上記ではセットトップボックスを例にとって説明を行ったが、本発明の適用対象はセットトップボックスに限らず、デコード機能を有するハードディスクレコーダや外付けチューナ等、任意のデコード装置に本発明を適用することが可能である。
【００３７】
また、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００３８】
１  セットトップボックス
２  第１入力部
３  デコード部
４  記録部
５  第２入力部
６  プロセッサ
８  切替部
９  出力部
２０  テレビ
２１  信号出力部
３１  第１判定部
３２  第２判定部
３４  電源制御部
【図１】
2010239589.tif 000003
【図２】
2010239589.tif 000004